(57)【要約】【課題】簡単な操作で友人等にコンテンツを推奨でき、且つ、情報端末装置の利用者が、特定のコンテンツを選ぶことができる情報端末装置及びそのサーバ装置を提供する。【解決手段】情報端末装置１０１は、通信経路を介して他の情報端末装置もしくはサーバ装置と、利用者が他の情報端末装置の利用者にコンテンツ情報を推奨する視聴推奨情報の送受信を行う送受信部１０４と、前記視聴推奨情報を作成し、または前記視聴推奨情報を表示させる視聴推奨情報処理部１０６と、前記送受信部１０４を介して受信した前記視聴推奨情報を表示する表示部１０２と、前記視聴推奨情報により推奨された前記コンテンツ情報を記録する記録部１０３と、前記送受信部１０４、前記視聴推奨情報処理部１０６、前記表示部１０２、及び前記記録部１０３を制御する制御部１０５と、を備え、他の情報端末装置もしくはサーバ装置と前記視聴推奨情報の送受信を行うようにした。【選択図】      図１
2004234128.tif 000002
【特許請求の範囲】
【請求項１】
通信経路を介して他の情報端末装置もしくはサーバ装置と、利用者が他の情報端末装置の利用者にコンテンツ情報を推奨する視聴推奨情報の送受信を行う送受信部と、
前記視聴推奨情報を作成し、または前記視聴推奨情報を表示させる視聴推奨情報処理部と、
前記送受信部を介して受信した前記視聴推奨情報を表示する表示部と、
前記視聴推奨情報により推奨された前記コンテンツ情報を記録する記録部と、
前記送受信部、前記視聴推奨情報処理部、前記表示部、及び前記記録部を制御する制御部と、を備えた、
ことを特徴とする情報端末装置。
【請求項２】
請求項１記載の情報端末装置において、
前記視聴推奨情報処理部は、
利用者が前記コンテンツ情報を選択することにより、前記コンテンツ情報に基づいて自動的に前記視聴推奨情報を作成する、
ことを特徴とする情報端末装置。
【請求項３】
請求項２記載の情報端末装置において、
前記視聴推奨情報は、
コンテンツ番号、タイトル、時間情報、コンテンツ内容を有するインデックス情報を含む、
ことを特徴とする情報端末装置。
【請求項４】
請求項２記載の情報端末装置において、
前記視聴推奨情報は、
送信側の前記情報端末装置の情報端末ＩＤ情報、及び受信側の前記情報端末装置の情報端末ＩＤ情報を含む、
ことを特徴とする情報端末装置。
【請求項５】
請求項２，３または４記載の情報端末装置において、
前記視聴推奨情報処理部は、
前記表示部に前記他の情報端末装置からの前記視聴推奨情報を表示させる、
ことを特徴とする情報端末装置。
【請求項６】
請求項２記載の情報端末装置において、
前記視聴推奨情報は、
前記コンテンツ情報を自動的にダウンロードするための自動ダウンロードフラグを含む、
ことを特徴とする情報端末装置。
【請求項７】
請求項６記載の情報端末装置において、
前記視聴推奨情報処理部は、
前記自動ダウンロードフラグがオンである前記視聴推奨情報を受信した場合、前記視聴推奨情報で指定されている前記コンテンツ情報を自動的にダウンロードする、
ことを特徴とする情報端末装置。
【請求項８】
請求項７記載の情報端末装置において、
前記視聴推奨情報処理部は、
前記コンテンツ情報を自動的にダウンロードするか否かを設定できる自動ダウンロード許可フラグを保持し、前記自動ダウンロード許可フラグがオフである場合には、前記コンテンツ情報をダウンロードしない、
ことを特徴とする情報端末装置。
【請求項９】
請求項６記載の情報端末装置において、
前記視聴推奨情報処理部は、
前記自動ダウンロードフラグがオンである前記視聴推奨情報を受信した場合、
前記視聴推奨情報で指定されている前記コンテンツ情報を自動的に録画予約する、
ことを特徴とする情報端末装置。
【請求項１０】
請求項２、３または４記載の情報端末装置において、
前記視聴推奨情報処理部は、
前記自動ダウンロード許可フラグを保持し、前記自動ダウンロード許可フラグがオフである場合、前記コンテンツ情報を録画予約しない、
ことを特徴とする情報端末装置。
【請求項１１】
請求項２記載の情報端末装置において、
前記視聴推奨情報処理部は、
他の情報端末装置において作成された前記視聴推奨情報の受信又は拒否を行うための視聴推奨受信情報を保持し、前記視聴推奨受信情報に基づいて前記視聴推奨情報を受信するか又は拒否するかの選択を行う、
ことを特徴とする情報端末装置。
【請求項１２】
請求項２記載の情報端末装置において、
前記視聴推奨情報処理部は、
前記コンテンツ情報、及び前記視聴推奨情報に基づいて視聴推奨情報結果を作成する、
ことを特徴とする情報端末装置。
【請求項１３】
請求項１２記載の情報端末装置において、
前記記録部は、
他の情報端末装置から受信した前記視聴推奨情報を一定数記録し、
前記視聴推奨情報処理部は、
前記記録部に記録された前記視聴推奨情報の示す前記コンテンツ情報を利用者が視聴した場合、前記視聴推奨情報に基づいて前記視聴推奨情報結果を作成し、前記他の情報端末装置に前記視聴推奨情報結果を送信する、
ことを特徴とする情報端末装置。
【請求項１４】
請求項１３記載の情報端末装置において、
前記記録部は、
利用者が視聴した前記コンテンツ情報を一定数記録し、
前記視聴推奨情報処理部は、
他の情報端末装置から受信した前記視聴推奨情報と、前記利用者が視聴したコンテンツ情報とが一致した場合、前記コンテンツ情報を自動的にダウンロードせず、前記視聴推奨情報結果を作成し、前記他の情報端末装置に前記視聴推奨情報結果を送信する、
ことを特徴とする情報端末装置。
【請求項１５】
利用者が他の情報端末装置の利用者にコンテンツ情報を推奨する視聴推奨情報が視聴推奨情報処理部により作成され、通信経路を介して他の情報端末装置もしくはサーバ装置と前記視聴推奨情報の送受信を行う情報端末装置に対し、サーバとして機能するサーバ装置であって、
前記通信経路を介して前記情報端末装置と前記視聴推奨情報の送受信を行うサーバ送受信部と、
前記情報端末装置からの前記視聴推奨情報を記録させ、または前記視聴推奨情報を前記他の情報端末装置へ送信させる中央視聴推奨情報処理部と、
前記視聴推奨情報を記録するサーバ記録部と、
前記サーバ送受信部、前記中央視聴推奨情報処理部、及び前記サーバ記録部を制御するサーバ制御部と、を備えた、
ことを特徴とするサーバ装置。
【請求項１６】
請求項１５記載のサーバ装置において、
前記中央視聴推奨情報処理部は、
前記視聴推奨情報を受信した場合、特定又は不特定の複数の前記情報端末装置に前記視聴推奨情報を送信する、
ことを特徴とするサーバ装置。
【請求項１７】
請求項１５記載のサーバ装置において、
前記中央視聴推奨情報処理部は、
前記情報端末装置から受信した前記視聴推奨情報を前記サーバ記録部に記録し、管理する、
ことを特徴とするサーバ装置。
【請求項１８】
請求項１７記載のサーバ装置において、
前記中央視聴推奨情報処理部は、
前記情報端末装置から前記視聴推奨情報を送信するよう要求があった場合、前記サーバ記録部に管理している前記視聴推奨情報を前記情報端末装置に送信する、
ことを特徴とするサーバ装置。
【発明の詳細な説明】
【０００１】
【発明の属する技術分野】
本発明は、情報端末装置及びそのサーバ装置に関し、特に視聴推奨情報を処理及び配信する情報端末装置及びそのサーバ装置に関するものである。
【０００２】
【従来の技術】
従来は、情報配信において多種多様なコンテンツが配信されており、例えば、中継サーバにおいて、利用者端末の位置を取得し、映像・音声コンテンツに関する情報をコンテンツの提供が有効である空間、有効である時間の情報と共に蓄積・管理しておき、利用者端末から取得した位置と、現在時刻とに基づいて、適合するコンテンツ情報を、蓄積されている情報から検索し、利用者端末の位置と現在時刻とに適合した複数のコンテンツを選択し、自サーバ内から、または、情報発信サーバに要求して取得したコンテンツを順次、連続的に利用者端末に配信する方法により、数多くのコンテンツの中から利用者に適切な情報を配信するものがあった。（特許文献１参照）
【０００３】
【特許文献１】
特開２００２−２４６９０号公報
【０００４】
【発明が解決しようとする課題】
しかしながら、前記従来の技術では、サーバが利用者の好みに応じてコンテンツを配信しても、どのコンテンツが自分に一番適しているのか、がわからず、また、同じ様なコンテンツが多く、どれを視聴すれば良いか分からない。また、例えば友人等に推奨したいコンテンツを有していた場合には、友人等にメール、電話等で連絡を取り、推奨しなければならず、手間がかかるという課題を有していた。
【０００５】
本発明は、前記従来の課題を解決するためになされたもので、簡単な操作で友人等にコンテンツを推奨でき、且つ、情報端末装置の利用者が、数多いコンテンツの中から好みに応じて選ぶことができるようにすることのできる情報端末装置を提供することを目的とする。
【０００６】
【課題を解決するための手段】
前記従来の課題を解決するために、本発明の請求項１による情報端末装置は、通信経路を介して他の情報端末装置もしくはサーバ装置と、利用者が他の情報端末装置の利用者にコンテンツ情報を推奨する視聴推奨情報の送受信を行う送受信部と、前記視聴推奨情報を作成し、または前記視聴推奨情報を表示させる視聴推奨情報処理部と、前記送受信部を介して受信した前記視聴推奨情報を表示する表示部と、前記視聴推奨情報により推奨された前記コンテンツ情報を記録する記録部と、前記送受信部、前記視聴推奨情報処理部、前記表示部、及び前記記録部を制御する制御部と、を備えるようにしたものである。
【０００７】
本発明の請求項２による情報端末装置は、請求項１記載の情報端末装置において、前記視聴推奨情報処理部は、利用者が前記コンテンツ情報を選択することにより、前記コンテンツ情報に基づいて自動的に前記視聴推奨情報を作成するようにしたものである。
【０００８】
本発明の請求項３による情報端末装置は、請求項２記載の情報端末装置において、前記視聴推奨情報は、コンテンツ番号、タイトル、時間情報、コンテンツ内容を有するインデックス情報を含むようにしたものである。
【０００９】
本発明の請求項４による情報端末装置は、請求項２記載の情報端末装置において、前記視聴推奨情報は、送信側の前記情報端末装置の情報端末ＩＤ情報、及び受信側の前記情報端末装置の情報端末ＩＤ情報を含むようにしたものである。
【００１０】
本発明の請求項５による情報端末装置は、請求項２，３または４記載の情報端末装置において、前記視聴推奨情報処理部は、前記表示部に前記他の情報端末装置からの前記視聴推奨情報を表示させるようにしたものである。
【００１１】
本発明の請求項６による情報端末装置は、請求項２記載の情報端末装置において、前記コンテンツ情報を自動的にダウンロードするための自動ダウンロードフラグを含むようにしたものである。
【００１２】
本発明の請求項７による情報端末装置は、請求項６記載の情報端末装置において、前記視聴推奨情報処理部は、前記自動ダウンロードフラグがオンである前記視聴推奨情報を受信した場合、前記視聴推奨情報で指定されている前記コンテンツ情報を自動的にダウンロードするようにしたものである。
【００１３】
本発明の請求項８による情報端末装置は、請求項７記載の情報端末装置において、前記視聴推奨情報処理部は、前記コンテンツ情報を自動的にダウンロードするか否かを設定できる自動ダウンロード許可フラグを保持し、前記自動ダウンロード許可フラグがオフである場合には、前記コンテンツ情報をダウンロードしないようにしたものである。
【００１４】
本発明の請求項９による情報端末装置は、請求項６記載の情報端末装置において、前記視聴推奨情報処理部は、前記自動ダウンロードフラグがオンである前記視聴推奨情報を受信した場合、前記視聴推奨情報で指定されている前記コンテンツ情報を自動的に録画予約するようにしたものである。
【００１５】
本発明の請求項１０による情報端末装置は、請求項２、３または４記載の情報端末装置において、前記視聴推奨情報処理部は、前記自動ダウンロード許可フラグを保持し、前記自動ダウンロード許可フラグがオフである場合、前記コンテンツ情報を録画予約しないようにしたものである。
【００１６】
本発明の請求項１１による情報端末装置は、請求項２記載の情報端末装置において、前記視聴推奨情報処理部は、他の情報端末装置において作成された前記視聴推奨情報の受信又は拒否を行うための視聴推奨受信情報を保持し、前記視聴推奨受信情報に基づいて前記視聴推奨情報を受信するか又は拒否するかの選択を行うようにしたものである。
【００１７】
本発明の請求項１２による情報端末装置は、請求項２記載の情報端末装置において、前記視聴推奨情報処理部は、前記コンテンツ情報、及び前記視聴推奨情報に基づいて視聴推奨情報結果を作成するようにしたものである。
【００１８】
本発明の請求項１３による情報端末装置は、請求項１２記載の情報端末装置において、前記記録部は、他の情報端末装置から受信した前記視聴推奨情報を一定数記録し、前記視聴推奨情報処理部は、前記記録部に記録された前記視聴推奨情報の示す前記コンテンツ情報を利用者が視聴した場合、前記視聴推奨情報に基づいて前記視聴推奨情報結果を作成し、前記他の情報端末装置に前記視聴推奨情報結果を送信するようにしたものである。
【００１９】
本発明の請求項１４による情報端末装置は、請求項１３記載の情報端末装置において、前記記録部は、利用者が視聴した前記コンテンツ情報を一定数記録し、前記視聴推奨情報処理部は、他の情報端末装置から受信した前記視聴推奨情報と、前記利用者が視聴したコンテンツ情報とが一致した場合、前記コンテンツ情報を自動的にダウンロードせず、前記視聴推奨情報結果を作成し、前記他の情報端末装置に前記視聴推奨情報結果を送信するようにしたものである。
【００２０】
本発明の請求項１５によるサーバ装置は、利用者が他の情報端末装置の利用者にコンテンツ情報を推奨する視聴推奨情報が視聴推奨情報処理部により作成され、通信経路を介して他の情報端末装置もしくはサーバ装置と前記視聴推奨情報の送受信を行う情報端末装置に対し、サーバとして機能するサーバ装置であって、前記通信経路を介して前記情報端末装置と前記視聴推奨情報の送受信を行うサーバ送受信部と、前記情報端末装置からの前記視聴推奨情報を記録させ、または前記視聴推奨情報を前記他の情報端末装置へ送信させる中央視聴推奨情報処理部と、前記視聴推奨情報を記録するサーバ記録部と、前記サーバ送受信部、前記中央視聴推奨情報処理部、及び前記サーバ記録部を制御するサーバ制御部と、を備えるようにしたものである。
【００２１】
本発明の請求項１６によるサーバ装置は、請求項１５記載のサーバ装置において、前記中央視聴推奨情報処理部は、前記視聴推奨情報を受信した場合、特定又は不特定の複数の前記情報端末装置に前記視聴推奨情報を送信するようにしたものである。
【００２２】
本発明の請求項１７によるサーバ装置は、請求項１５記載のサーバ装置において、前記中央視聴推奨情報処理部は、前記情報端末装置から受信した前記視聴推奨情報を前記サーバ記録部に記録し、管理するようにしたものである。
【００２３】
本発明の請求項１８によるサーバ装置は、請求項１７記載のサーバ装置において、前記中央視聴推奨情報処理部は、前記情報端末装置から前記視聴推奨情報を送信するよう要求があった場合、前記サーバ記録部に管理している前記視聴推奨情報を前記情報端末装置に送信するようにしたものである。
【００２４】
したがって、本発明の請求項１，請求項５，請求項７，および請求項９においては、前記視聴推奨情報処理部により、簡単な操作で友人等にコンテンツを推奨でき、且つ、情報端末装置の利用者が、数多いコンテンツの中から好みに応じて選ぶことができる。
【００２５】
また、本発明の請求項２，請求項３，請求項４，および請求項６においては、前記視聴推奨情報により、簡単な操作で友人等にコンテンツを推奨でき、且つ、情報端末装置の利用者が、数多いコンテンツの中から好みに応じて選ぶことができる。
【００２６】
また、本発明の請求項８においては、前記視聴推奨情報処理部により、前記情報端末装置の利用者が自動ダウンロードを拒否することができる。
【００２７】
また、本発明の請求項１０においては、前記視聴推奨情報処理部により、他の前記情報端末装置の利用者が自動で録画予約することを拒否することができる。
【００２８】
また、本発明の請求項１１においては、前記情報端末装置により、特定の前記情報端末装置、及び請求項１６に記載されたサーバ装置から取得したい前記視聴推奨情報だけを得ることができる。
【００２９】
また、本発明の請求項１２，請求項１３，および請求項１４においては、前記視聴推奨情報結果により、前記視聴推奨情報を送信した前記情報端末装置の利用者に、コンテンツを視聴したことを自動的に伝えることができ、前記利用者にコンテンツを視聴したことを伝える手間が省ける。
【００３０】
また、本発明の請求項１５，請求項１６，請求項１７，および請求項１８においては、前記中央視聴推奨情報処理部により、簡単な操作で友人等にコンテンツを推奨でき、且つ、情報端末装置の利用者が、数多いコンテンツの中から好みに応じて選ぶことができる。
【００３１】
【発明の実施の形態】
（実施の形態１）
以下に、本発明の請求項１に記載された発明の実施の形態について、図１を用いて説明する。
図１は、本発明の実施の形態１による情報端末装置の構成を示すブロック図である。
【００３２】
図１において、情報端末装置１０１は、通信経路を介して他の情報端末装置もしくはサーバ装置と、利用者が他の情報端末装置の利用者にコンテンツ情報を推奨する視聴推奨情報の送受信を行うイーサネット（登録商標）カード、モデム等の送受信部１０４と、前記視聴推奨情報を作成し、または前記視聴推奨情報を表示させる視聴推奨情報処理部１０６と、前記送受信部１０４を介して受信した前記視聴推奨情報を表示するディスプレイ等の表示部１０２と、前記視聴推奨情報により推奨された前記コンテンツ情報を記録するハードディスク、光ディスク等の記録部１０３と、前記送受信部１０４、前記視聴推奨情報処理部１０６、前記表示部１０２、及び前記記録部１０３を制御する制御部１０５と、を備えている。
【００３３】
次に、本発明の請求項３，４，６に記載された視聴推奨情報について、図２を用いて説明する。
図２は、本発明の実施の形態１による情報端末装置の視聴推奨情報処理部が処理する視聴推奨情報を示す図である。
【００３４】
図２において、視聴推奨情報２０１は、コンテンツ番号，タイトル，時間情報，コンテンツ内容等を含むインデックス２０２と、自動ダウンロード，強制的に表示等のフラグを含むモード２０３と、送信者と受信者のＩＤを含む情報端末ＩＤ情報２０４と、を備えたものである。
【００３５】
次に、本発明の請求項２と、請求項５と、請求項７〜１１に記載された本発明の実施の形態について、図４を用いて説明する。
図４は、本発明の実施の形態１による情報端末装置間の構成を示すブロック図である。
【００３６】
図４において、第１の情報端末処理４０１は、Ａ〜Ｚまでのコンテンツを有しており、コンテンツＣを選択すると、第１の情報端末装置４０１内に備えられた視聴推奨情報処理部１０６により、コンテンツＣに関する視聴推奨情報４０３が自動的に作成される。
【００３７】
作成された視聴推奨情報４０３は、第１の情報端末装置４０１内に備えられた送受信部１０４により、指定された送信先に送信される。送信先である第２の情報端末装置４０２は、送信されてきた視聴推奨情報４０３を、送受信部１０４により受信する。
【００３８】
受信された視聴推奨情報４０３は、第２の情報端末装置４０２内に備えられた視聴推奨情報処理部１０６により処理され、第２情報端末装置４０２内に備えられた表示部に、例えば「Ｃがあります。〜さんのお薦めです。」のような視聴推奨情報表示方法４０６で表示される。
【００３９】
これにより、第１の情報端末装置４０１から第２の情報端末装置４０２に、簡単な操作でコンテンツを推奨できる。
なお、第１の情報端末装置４０１から受信した視聴推奨情報４０３は、第２の情報端末装置４０２内の記録部１０３に記録しても良い。
【００４０】
次に、第２の情報端末装置４０２において、視聴推奨情報４０３のモードに含まれている自動ダウンロードフラグがＯＮになっていると、視聴推奨情報処理部１０６により、コンテンツＣを自動ダウンロードするように処理し、サーバ４０４に対して配信要求を送信し、サーバ４０４からコンテンツＣをダウンロードする。そして、ダウンロードしたコンテンツＣのコンテンツ情報を記録する。
【００４１】
なお、視聴推奨情報処理部１０６は、自動ダウンロード許可フラグを保持しており、第２の情報端末装置４０２の利用者により、自動ダウンロードするかどうかの設定を行うことができる。
【００４２】
これにより、推奨されたコンテンツが自動的にダウンロードされるため、視聴推奨情報４０３を受信した第２の情報端末装置４０２の利用者は、推奨されたコンテンツをすぐに視聴することができる。
【００４３】
また、視聴推奨情報４０３で指定されているコンテンツＣが未来に放送するものであり、視聴推奨情報４０３のモードに含まれている自動ダウンロードフラグがＯＮになっている場合、視聴推奨情報処理部１０６は、視聴推奨情報４０３のインデックスに含まれる時間情報を取得し、コンテンツＣを予約録画するように処理する。予定時間がくると、第２の情報端末装置４０２はサーバ４０４に対して配信要求を送信し、前記サーバ４０４からコンテンツＣをダウンロードし、第２の情報端末装置４０２に備えられた記録部１０３にコンテンツＣを記録する。
これにより、推奨されたコンテンツＣが未来に放送される場合でも自動的に予約録画できる。
【００４４】
また、視聴推奨情報処理部１０６は、視聴推奨情報を受信又は拒否を行うため、送信者の氏名である情報端末ＩＤ情報、コンテンツ名、ジャンル等の視聴推奨受信情報を保持しており、視聴推奨情報４０３のインデックスに含まれるコンテンツ名、ジャンルや送信者の氏名である情報端末ＩＤ情報等により、視聴推奨情報４０３の受信又は拒否の選択を行うことができる。
【００４５】
これにより、第１の情報端末装置４０１から多数の視聴推奨情報４０３が送信されてきても、第２の情報端末装置４０２の利用者は、欲しい視聴推奨情報を受信できる。
【００４６】
次に、本発明の請求項１２〜１４に記載された本発明の実施の形態について、図３、図４を用いて説明する。
図３は、本実施の形態１による情報端末装置の視聴推奨情報処理部の視聴推奨情報結果を示す図である。
【００４７】
図３において、視聴推奨情報結果３０１は、コンテンツ番号、タイトル、時間情報等のインデックス３０２、及び送信者及び受信者の情報端末ＩＤ情報３０３を有する。
【００４８】
図４において、第２の情報端末装置４０２は、視聴推奨情報４０３を受信し、第２の情報端末装置４０２内の視聴推奨情報処理部４０３により処理し、サーバ４０４に配信要求を送信し、視聴推奨情報処理部４０３で指定されるコンテンツＣをダウンロードする。
【００４９】
それから、第２の情報端末装置４０２の利用者がコンテンツＣを視聴すると、視聴推奨情報処理部４０３により、図３に示すような、第１の情報端末装置４０１の利用者に視聴したことを知らせる視聴推奨情報結果４０５を自動的に作成し、第１の情報端末装置４０１に送信する。
【００５０】
第１の情報端末装置４０１は、第２の情報端末装置から視聴推奨情報結果４０５を受信すると、視聴推奨情報処理部４０３により処理し、第１の情報端末装置４０１の利用者に第２の情報端末装置４０２の利用者が視聴したことを通知する。
【００５１】
これにより、第２の情報端末装置４０２の利用者がコンテンツを視聴するだけで、コンテンツＣを推奨した第１の情報端末装置４０１の利用者に、コンテンツを視聴したことを通知でき、前記コンテンツＣを推奨した第１の情報端末装置４０１の利用者に通知する手間が省ける。
【００５２】
また、第２の情報端末装置４０２が視聴推奨情報４０３を受信すると、第２の情報端末装置４０２内の視聴推奨情報処理部４０３は、第２の情報端末装置４０２内の記録部に記録してあるコンテンツ情報と視聴推奨情報４０３が一致しているか調べ、一致していれば、視聴推奨情報処理部１０６により、自動的に視聴推奨情報結果４０５を作成し第１の情報端末装置４０１に送信する。
【００５３】
これにより、第２の情報端末装置の利用者が、第１の情報端末装置から受信した視聴推奨情報に関するコンテンツを視聴していた場合に、無駄なダウンロードを防ぐことができる。
【００５４】
次に、本発明の請求項１５〜１８に記載された本発明の実施の形態１について図５を用いて説明する。
図５は、本発明の実施の形態１による情報端末装置とサーバ装置間の構成を示すブロック図である。
【００５５】
図５において、サーバ装置５０１は、インターネット等の通信経路を介して情報端末装置と視聴推奨情報の送受信を行うイーサネット（登録商標）カード、モデム等のサーバ送受信部５０３と、情報端末装置からの視聴推奨情報を記録させ、または視聴推奨情報を他の情報端末装置へ送信させる中央視聴推奨情報処理部５０５と、視聴推奨情報の記録を行うハードディスク、光ディスク等のサーバ記録部５０２と、前記サーバ送受信部５０３、前記中央視聴推奨情報処理部５０５、及び前記サーバ記録部５０２を制御するＣＰＵ等のサーバ制御部５０４と、を備えている。
【００５６】
第１〜第３の情報端末装置５０６〜５０７は、図１に示すような構成の情報端末装置である。
第１の情報端末装置５０６により、視聴推奨情報を作成し、特定又は不特定多数の情報端末装置に視聴推奨情報を送信したい場合、サーバ装置５０１に視聴推奨情報を送信する。
【００５７】
サーバ装置５０１は、前記視聴推奨情報をサーバ送受信部５０３で受信する。受信した視聴推奨情報は、中央視聴推奨情報処理部５０５により処理され、サーバ装置５０１内のサーバ記録部５０２に記録され、管理されると共に、第２の情報端末装置５０７と、第３の情報端末装置５０８とに送信される。
これにより、一回の送信で複数の情報端末装置に、簡単に視聴推奨情報を送信することができる。
【００５８】
また、第２の情報端末装置５０７や第３の情報端末装置５０８からサーバ装置５０１に視聴推奨情報の配信要求があった場合、中央視聴推奨情報処理部５０５は、サーバ装置５０１内のサーバ記録部５０２に記録、管理されている視聴推奨情報を読み出し、第２の情報端末装置５０７や第３の情報端末装置５０８に送信する。
これにより、第２の情報端末装置５０７や第３の情報端末装置５０８の利用者は、いつでも自分の好みの視聴推奨情報を取得することができる。
【００５９】
次に本発明の実施の形態１による情報端末装置間、及び情報端末装置とサーバ装置間の処理の流れを説明する。
図６、図７、図８、図９は、本発明の実施の形態１による情報端末装置間及び情報端末装置とサーバ装置間のフローチャートである。
【００６０】
図６、図７、図８、図９において、第１の情報端末装置が推奨するコンテンツを選び、前記第１の情報端末装置内の視聴推奨情報処理部が視聴推奨情報を作成し、第２の情報端末装置に送信する。前記視聴推奨情報を第２の情報端末装置が受信し、該第２の情報端末装置内の視聴推奨情報処理部が自動ダウンロード及び自動予約録画等の処理を行い、第１の情報端末装置が推奨するコンテンツを第２の情報端末装置の利用者が視聴する。該第２の情報端末装置の利用者が推奨されたコンテンツを視聴した場合、第２の情報端末装置内の視聴推奨情報処理部が視聴したことを知らせる視聴推奨情報結果を作成し、第２の情報端末装置に送信する一連の処理を示している。
【００６１】
また同様に、第１の情報端末装置が推奨するコンテンツを選び、前記第１の情報端末装置内の視聴推奨情報処理部が視聴推奨情報を作成し、サーバ装置に前記視聴推奨情報を送信し、サーバ装置内の中央視聴推奨情報処理部により視聴推奨情報の処理を行う一連の視聴推奨情報の流れを示している。
【００６２】
以下、それぞれの処理について、詳細に説明する。
まず、図６について説明する。
【００６３】
図６において、第１の情報端末装置は、受信端末により推奨するコンテンツを選び（ステップＳ１）、視聴推奨情報処理部により視聴推奨情報を作成する（ステップＳ２）。次に、送受信部により、前記視聴推奨情報を第２の情報端末装置に送信する（ステップＳ３、ステップＳ４）。
【００６４】
ここで、第２の情報端末装置に視聴推奨情報が送信されない場合（ステップＳ４でＮｏ）は、６０１のステップに進む。
【００６５】
一方、第２の情報端末装置に視聴推奨情報が送信された場合（ステップＳ４でＹｅｓ）は、第２の情報端末装置において、送受信部により前記視聴推奨情報を受信し（ステップＳ５）、第２の情報端末装置内の表示部に視聴推奨情報を表示する（ステップＳ６）。
【００６６】
次に、視聴推奨情報を視聴推奨情報処理部により処理し、記録部に記録する（ステップＳ７）。
ここで、視聴推奨情報処理部の自動ダウンロード許可フラグがＯＮである場合（ステップＳ８でＹｅｓ）は、６０２のステップに進む。一方、視聴推奨情報処理部の自動ダウンロード許可フラグがＯＮでない場合（ステップＳ８でＮｏ）は、視聴推奨情報処理部によりサーバ装置からコンテンツをダウンロードしない（ステップＳ７）。
【００６７】
次に図７について説明する。
図７において、第２の情報端末装置は、図６に示した６０２のステップに続いて、視聴推奨情報に指定されたコンテンツが未来に放送される場合（ステップＳ１０でＹｅｓ）は、視聴推奨情報処理部により視聴推奨情報に指定されるコンテンツを予約録画するように処理し（ステップＳ１１）、視聴推奨情報処理部により、指定時間がくるとサーバ装置からコンテンツをダウンロードし録画する（ステップＳ１３）。
【００６８】
第２の情報端末装置の利用者がコンテンツを視聴する場合（ステップＳ１４でＹｅｓ）は、７０１のステップに進む。
【００６９】
また、視聴推奨情報に指定されたコンテンツが未来に放送されない場合（ステップＳ１０でＮｏ）は、視聴推奨情報処理部によりサーバ装置からコンテンツをダウンロードし（ステップＳ１２）、ステップＳ１４に進む。
【００７０】
次に図８について説明する。
図８において、第２の情報端末装置は、図７に示した７０１のステップに続いて、視聴推奨情報処理部にコンテンツを視聴したことを知らせる視聴推奨情報結果を自動的に作成し（ステップＳ１５）、第２の情報端末装置内の送受信部により視聴推奨情報結果を送信する（ステップＳ１６）。
【００７１】
次に、第１の情報端末装置は、第１の情報端末装置内の送受信部により、前記視聴推奨情報結果を受信し（ステップＳ１７）、第１の情報端末装置内の表示部に前記視聴推奨情報結果を表示する（ステップＳ１８）。
【００７２】
次に図９について説明する。
図９において、図６に示した第１の情報端末装置における６０１のステップに続いて、サーバ装置内の送受信部により、第１の情報端末装置からの視聴推奨情報を受信し（ステップＳ１９）、サーバ装置内の中央視聴推奨情報処理部により処理される（ステップＳ２０）。
【００７３】
サーバ装置から特定又は複数の情報端末装置に視聴推奨情報を送信される場合（ステップＳ２１でＹｅｓ）、特定又は複数の情報端末装置は、前記視聴推奨情報を送受信部により受信し（ステップＳ２２）、図６に示した９０１のステップに進み、図６に示したように情報端末装置内の表示部に前記視聴推奨情報を表示し（ステップＳ６）、続けてステップＳ６以降の動作を行う。
【００７４】
一方、サーバ装置から特定又は複数の情報端末装置に視聴推奨情報を送信されない場合（ステップＳ２１でＮｏ）は、サーバ装置内の中央視聴推奨情報処理部により前記視聴推奨情報が処理され、記録部に記録し管理する（ステップＳ２３）。
【００７５】
次に、情報端末装置により視聴推奨情報の配信要求がある場合（ステップＳ２４）は、図６に示した９０２のステップに進み、図６に示したように第１の情報端末装置からの視聴推奨情報を送受信部により受信し（ステップＳ５）、続けてステップＳ５以降のステップを行う。
【００７６】
このように本実施の形態１によれば、通信経路を介して他の情報端末装置もしくはサーバ装置と、利用者が他の情報端末装置の利用者にコンテンツ情報を推奨する視聴推奨情報の送受信を行う送受信部１０４と、前記視聴推奨情報を作成し、または前記視聴推奨情報を表示させる視聴推奨情報処理部１０６と、前記送受信部１０４を介して受信した前記視聴推奨情報を表示する表示部１０２と、前記視聴推奨情報により推奨された前記コンテンツ情報を記録する記録部１０３と、前記送受信部１０４、前記視聴推奨情報処理部１０６、前記表示部１０２、及び前記記録部１０３を制御する制御部１０５と、を備えるようにしたので、簡単な操作で友人等にコンテンツを推奨でき、且つ、利用者が複数のコンテンツ情報の中から特定のコンテンツ情報を容易に得ることができるという効果がある。
【００７７】
【発明の効果】
以上のように本発明の情報端末装置、及びそのサーバ装置によれば、本発明の情報端末装置は視聴推奨情報処理部を備え、利用者が他の情報端末装置の利用者にコンテンツ情報を推奨する視聴推奨情報の送受信を行うことにより、簡単な操作で友人等にコンテンツを推奨できるという効果がある。
【００７８】
また、本発明の情報端末装置、及びそのサーバ装置によれば、本発明のサーバ装置は中央視聴推奨情報処理部を備え、情報端末装置からの視聴推奨情報を他の情報端末装置に送信することにより、情報端末装置の利用者が数多いコンテンツの中から好みに応じて選ぶことができるという効果がある。
【図面の簡単な説明】
【図１】本発明の実施の形態１における情報端末装置の構成図である。
【図２】本発明の実施の形態１における視聴推奨情報の構成図である。
【図３】本発明の実施の形態１における視聴推奨情報結果の構成図である。
【図４】本発明の実施の形態１における情報端末装置間の構成図である。
【図５】本発明の実施の形態１における情報端末装置とサーバ装置間の構成図である。
【図６】本発明の実施の形態１における情報端末装置間及び情報端末装置とサーバ装置間のフローチャートである。
【図７】本発明の実施の形態１における情報端末装置間及び情報端末装置とサーバ装置間のフローチャートである。
【図８】本発明の実施の形態１における情報端末装置間及び情報端末装置とサーバ装置間のフローチャートである。
【図９】本発明の実施の形態１における情報端末装置間及び情報端末装置とサーバ装置間のフローチャートである。
【符号の説明】
１０１  情報端末装置
１０２  表示部
１０３  記録部
１０４  送受信部
１０５  制御部
１０６  視聴推奨情報処理部
２０１  視聴推奨情報
２０２  インデックス
２０３  モード
２０４  情報端末ＩＤ情報
４０１  第１の情報端末装置
４０２  第２の情報端末装置
４０３  視聴推奨情報
４０４  サーバ
４０５  視聴推奨情報結果
４０６  視聴推奨情報表示方法
５０１  サーバ装置
５０２  サーバ記録部
５０３  サーバ送受信部
５０４  サーバ制御部
５０５  中央視聴推奨情報処理部
５０６  第１の情報端末装置
５０７  第２の情報端末装置
５０８  第３の情報端末装置
６０１  ステップ
６０２  ステップ
７０１  ステップ
９０１  ステップ
９０２  ステップ
【図１】
2004234128.tif 000003
【図２】
2004234128.tif 000004
【図３】
2004234128.tif 000005
【図４】
2004234128.tif 000006
【図５】
2004234128.tif 000007
【図６】
2004234128.tif 000008
【図７】
2004234128.tif 000009
【図８】
2004234128.tif 000010
【図９】
2004234128.tif 000011